(57)【要約】      （修正有）【課題】指の短い子供、握力の弱い婦女子や老齢者であっても、片手で容易に持ち運ぶことができるとともに、片手で容易に傾けて封入されている飲み物を容器に注入することができる紙パックを提供する。【解決手段】紙パック１は、角筒状をなす本体胴部２の下端に液密に封止した底部が形成されているとともに、本体胴部２の上端部には液密に封止した注出口が設けられている。この紙パック１における本体胴部２の一つの面２ｂの表面に、紙パック１の素材（厚紙）と同じ素材によって作製されて前記一つの面２ｂの表面に重なる倒伏姿勢と、該一つの面２ｂの表面から離れて立ち上がる起立姿勢の両姿勢に姿勢変換可能な指掛部７ｂを備えた把手７を接着する。【選択図】図１
0003154896.tif 000002
【実用新案登録請求の範囲】
【請求項１】
角筒状をなす本体胴部の下端に液密に封止した底部が形成されているとともに、前記本体胴部の上端部には液密に封止した注出口が設けられている紙パックにおいて、
前記本体胴部の少なくとも一つの面の表面に把手を備えていることを特徴とする紙パック。
【請求項２】
角筒状をなす本体胴部の下端に液密に封止した底部が形成されているとともに、前記本体胴部の上端部には液密に封止した注出口が設けられている紙パックにおいて、
前記本体胴部の相互に対向する一対の面それぞれの表面に、指先掛合用の滑り止め突起を備えていることを特徴とする紙パック。
【請求項３】
角筒状をなす本体胴部の下端に液密に封止した底部が形成されているとともに、前記本体胴部の上端部には液密に封止した注出口が設けられている紙パックにおいて、
前記本体胴部の少なくとも一つの面の表面に把手を備えているともに、該一つの面を除いた相互に対向する一対の面それぞれの表面に、指先掛合用の滑り止め突起を備えていることを特徴とする紙パック。
【請求項４】
前記把手は、前記本体胴部の少なくとも一つの面の表面に重なる倒伏姿勢と、該一つの面の表面から離れて立ち上がる起立姿勢の両姿勢に姿勢変換可能な指掛部を備えている請求項１または請求項３に記載の紙パック。
【考案の詳細な説明】
【技術分野】
【０００１】
本考案は、たとえば、牛乳や果汁、酒類などの飲み物を封入して保管する紙パックに関するものである。
【背景技術】
【０００２】
従来より、牛乳や果汁、酒類などの飲み物を封入して保管する容器として、図１４，図１５および図１６に示す紙パック５０が知られている。この種の紙パック５０は、取り扱いおよび使用後の処理が容易であるとともに、再生が可能で省資源化に寄与するなどの理由で多用されている。
【０００３】
紙パック５０は、横断面形状が正方形をなす角筒状の本体胴部５１の下端部四辺を内方に折り畳んで液密封止することで底部５２を形成しており、上端部四辺のうち相対向する第１の二辺５３ａ，５３ａ（ただし、図面には第１の一辺５３ａのみが示されている）をそれぞれ内方へく字形に折り込むとともに、残る第２の二辺５３ｂ，５３ｂを略屋根型に折り曲げて上端部５３を形成している。この上端部５３は、前記第１の二辺５３ａ，５３ａの上端接着部位５３ｃを第２の二辺５３ｂ，５３ｂに接着するとともに、第２の二辺５３ｂ，５３の接着部位５３ｄを相互に接着することにより開放可能に液密に封止され、接着されている接着部位５３ｃ，５３ｄの一部を剥がして開放することで図１６に示す注出口５４が形成される。なお、注出口５４としては、図１４において二点鎖線で示すように、第２の二辺５３ｂ，５３ｂの一方に閉止弁（図示省略）を内含した樹脂製の注出口５４ａを取付け、この注出口５４ａを樹脂製のキャップ５４ｂで塞ぐ構造のものもある。この種の注出口５４であれば、キャップ５４ｂを取り外したのちに前記図示していない閉止弁を引張って除去することで注出口５４ａが開放される。
【０００４】
【特許文献１】特になし
【考案の開示】
【考案が解決しようとする課題】
【０００５】
ところで、牛乳や果汁、酒類などの飲み物が封入されている紙パック５０の購入に際して、たとえば店頭の陳列箇所などから店内携行カゴに紙パック５０を移し換える動作、店内携行カゴから家庭への持ち帰り用のバッグや袋などに紙パック５０を移し換える動作、帰宅後に前記持ち帰り用のバッグや袋などから冷蔵倉に紙パック５０を移し換える動作、前記飲み物の飲用に際して紙パック５０を冷蔵倉から出し入れする作業などの紙パック５０の持ち運びは、本体胴部５１の四つの面５１ａ，５１ｂ，５１ｃ，５１ｄ（だだし、図面には、二つの面５１ａ，５１ｂのみが示されている）において、相互に対向する一対の面（たとえば第１面５１ａと第３面５１ｃ（図示省略）あるいは第２面５１ｂと第４面５１ｄ（図示省略）それぞれの表面を手で掴持することによってなされる。
【０００６】
また、紙パック５０に封入されている飲み物を容器に注入する作業、つまり、飲み物の注出は、一方の手で本体胴部５１の前記相互に対向する一対の面それぞれの表面を掴持し、他方の手で容器を保持して本体胴部５１を傾けながら注出口５４から飲み物を容器に向けて注出することによってなされる。
【０００７】
一方、店頭に陳列される紙パック５０としては、本体胴部５１の一辺Ｌの長さＬが約７０ｍｍ×本体胴部５１の高さＨが約１９０ｍｍで１０００ｍｌの飲み物を封入した中型の紙パック５０や、本体胴部５１の一辺Ｌの長さＬが約８５ｍｍ×本体胴部２の高さＨが約２５５ｍｍで１８００ｍｌの飲み物を封入した大型の紙パック５０が多く見受けられる。これら中型または大型の紙パック５０に飲み物が封入されていることでその重量が重くても、成人男性であれば前述した本体胴部５１の相互に対向する前記一対の面それぞれの表面を片手で掴持して持ち運ぶことや飲み物の注出に際して片手で掴持して傾けることなどは比較的容易であるといえる。しかし、指の短い子供、握力の弱い婦女子や老齢者では本体胴部５１の相互に対向する前記一対の面それぞれの表面を片手で掴持して持ち運ぶことや片手で掴持して傾けることは困難である。
【０００８】
すなわち、指の短い子供、握力の弱い婦女子や老齢者などの片手の手指の内面と、この手指の内面が押し付けられる本体胴部５１の相互に対向する前記一対の面それぞれの表面との間に、重量の重い紙パック５０を掴持して持ち運んだり掴持して傾けたりするのを可能にする摩擦力を所定時間継続して発生させることが困難であるといえる。そのため、持ち運びの途上で紙パック５０が滑落するおそれを有しているばかりか、両手で本体胴部５１を掴持して傾けなければならないので、封入されている飲み物を容器に注入する作業が煩雑になるなどの問題を有している。
【０００９】
本考案は、このような問題を解決するものであって、その目的とするところは、指の短い子供、握力の弱い婦女子や老齢者であっても、片手で容易に持ち運ぶことができるとともに、片手で容易に傾けて封入されている飲み物を容器に注入することができる紙パックを提供することにある。
【課題を解決するための手段】
【００１０】
前記目的を達成するために、本考案に係る紙パックは、角筒状をなす本体胴部の下端に液密に封止した底部が形成されているとともに、前記本体胴部の上端部には液密に封止した注出口が設けられている紙パックにおいて、
前記本体胴部の少なくとも一つの面の表面に把手を備えていることを特徴としている。
【００１１】
これによれば、把手を片手で把持して持ち上げることで紙パックを持ち運ぶことができる。また、把手を片手で把持して紙パックを傾けることで封入されている飲み物を容器に注入することができる。把手の把持は、片手の指先をフック状に折り曲げて把手に掛け止めることによってなされるので、紙パックの持ち上げや紙パックの傾けには強い力を必要としない。そのため、たとえ指の短い子供、握力の弱い婦女子や老齢者であっても、片手で容易に紙パックを持ち上げて持ち運ぶことができるとともに、片手で紙パックを容易に傾けて封入されている飲み物を容器に注入することができる。
【００１２】
また、本考案に係る紙パックは、角筒状をなす本体胴部の下端に液密に封止した底部が形成されているとともに、前記本体胴部の上端部には液密に封止した注出口が設けられている紙パックにおいて、
前記本体胴部の相互に対向する一対の面それぞれの表面に、指先掛合用の滑り止め突起を備えていることを特徴としている。
【００１３】
これによれば、片手の指先の先端部を指先掛合用の滑り止め突起に掛合した状態で本体胴部を掴持して持ち上げることで紙パックを持ち運ぶことができる。また、片手の指先の先端部を指先掛合用の滑り止め突起に掛合した状態で本体胴部を掴持して傾けることで封入されている飲み物を容器に注入することができる。片手の指先の先端部が指先掛合用の滑り止め突起に掛合されることで、指先の先端部と指先掛合用の滑り止め突起との間に大きい摩擦抵抗が発生するので、紙パックの持ち上げや紙パックの傾けには強い力を必要としない。そのため、たとえ指の短い子供、握力の弱い婦女子や老齢者であっても、片手で容易に紙パックを持ち上げて持ち運ぶことができるとともに、片手で紙パックを容易に傾けて封入されている飲み物を容器に注入することができる。
【００１４】
さらに、本考案に係る紙パックは、角筒状をなす本体胴部の下端に液密に封止した底部が形成されているとともに、前記本体胴部の上端部には液密に封止した注出口が設けられている紙パックにおいて、
前記本体胴部の少なくとも一つの面の表面に把手を備えているともに、該一つの面を除いた相互に対向する一対の面それぞれの表面に、指先掛合用の滑り止め突起を備えていることを特徴としている。
【００１５】
これによれば、把手を選択してこれを片手で把持して持ち上げることで紙パックを持ち運ぶことができるとともに、把手を選択してこれを片手で把持して紙パックを傾けることで封入されている飲み物を容器に注入することができる。しかも、指先掛合用の滑り止め突起を選択し、この指先掛合用の滑り止め突起に片手の指先の先端部を掛合した状態で本体胴部を掴持して持ち上げることで紙パックを持ち運ぶことができるばかりか、指先掛合用の滑り止め突起を選択し、この指先掛合用の滑り止め突起に片手の指先の先端部を掛合した状態で本体胴部を掴持して傾けることで封入されている飲み物を容器に注入することができる。
【００１６】
把手を選択した場合、その把持は、片手の指先をフック状に折り曲げて把手に掛け止めることによってなされるので、紙パックの持ち上げや紙パックの傾けには強い力を必要としない。そのため、たとえ指の短い子供、握力の弱い婦女子や老齢者であっても、片手で容易に紙パックを持ち上げて持ち運ぶことができるとともに、片手で紙パックを容易に傾けて封入されている飲み物を容器に注入することができる。
【００１７】
指先掛合用の滑り止め突起を選択した場合、片手の指先の先端部が指先掛合用の滑り止め突起に掛合されることで、指先の先端部と指先掛合用の滑り止め突起との間に大きい摩擦抵抗が発生するので、紙パックの持ち上げや紙パックの傾けには強い力を必要としない。そのため、たとえ指の短い子供、握力の弱い婦女子や老齢者であっても、片手で容易に紙パックを持ち上げて持ち運ぶことができるとともに、片手で紙パックを容易に傾けて封入されている飲み物を容器に注入することができる。
【００１８】
また、前記把手は、前記本体胴部の少なくとも一つの面の表面に重なる倒伏姿勢と、該一つの面の表面から離れて立ち上がる起立姿勢の両姿勢に姿勢変換可能な指掛部を備えていることが望ましい。これによると、把手の不使用時には指掛部を倒伏姿勢に保持して、本体胴部の少なくとも一つの面の表面から指掛部が大きく突出するのを抑えて嵩張りを無くすことができるので、店頭での陳列に必要なスペースと冷蔵倉内収納時に必要なスペースの拡大を回避できる。これにより、陳列スペースおよび収納スペースの有効利用率を高めるのに寄与することができる。
【考案の効果】
【００１９】
本考案に係る紙パックによれば、指の短い子供、握力の弱い婦女子や老齢者であっても、片手で容易に持ち運ぶことができるとともに、片手で容易に傾けて封入されている飲み物を容器に注入することができる。
【図面の簡単な説明】
【００２０】
【図１】第１の考案に係る紙パックの一実施形態を示す斜視図である。
【図２】図１の矢印II方向から見た紙パックの斜視図である。
【図３】図１の底部を示す紙パックの一部斜視図である。
【図４】把手の一例を示す説明図であり、図４（ａ）は指掛部を倒伏姿勢に保持した状態を示す平面図であり、図４（ｂ）は指掛部を起立姿勢に姿勢変換した状態を示す斜視図である。
【図５】第２の考案に係る紙パックの一実施形態を示す斜視図である。
【図６】図５の矢印VI方向から見た紙パックの斜視図である。
【図７】第３の考案に係る紙パックの一実施形態を示す斜視図である。
【図８】図７の矢印VIII方向から見た紙パックの斜視図である。
【図９】把手の第１変形例を示す説明図であり、図９（ａ）は指掛部を倒伏姿勢に保持した状態を示す平面図であり、図９（ｂ）は指掛部を起立姿勢に姿勢変換した状態を示す斜視図である。
【図１０】把手の第２変形例を示す説明図であり、図１０（ａ）は指掛部を倒伏姿勢に保持した状態を示す平面図であり、図１０（ｂ）は指掛部を起立姿勢に姿勢変換した状態を示す斜視図である。
【図１１】指先掛合用の滑り止め突起の変形例を示す斜視図である。
【図１２】指先掛合用の滑り止め突起の変形例を示す斜視図である。
【図１３】指先掛合用の滑り止め突起の変形例を示す斜視図である。
【図１４】従来例の斜視図である。
【図１５】図１２の底部を示す紙パックの一部斜視図である。
【図１６】注出口の一例を示す斜視図である。
【考案を実施するための形態】
【実施例】
【００２１】
図１は、第１の考案に係る紙パックの一実施形態を示す斜視図、図２は、図１の矢印II方向から見た紙パックの斜視図、図３は、図１の底部を示す紙パックの一部斜視図である。
【００２２】
図１〜図３において、紙パック１は、所定の防水（防液）特性と硬度、強度および肉厚などを備えた従来より周知の厚紙によって構成されている。紙パック１は、横断面形状が正方形をなす角筒状の本体胴部２の下端部四辺を内方に折り畳んで液密封止することで底部３を形成しており、上端部四辺のうち相対向する第１の二辺４ａ，４ａをそれぞれ内方へく字形に折り込むとともに、残る第２の二辺４ｂ，４ｂを略屋根型に折り曲げて上端部４を形成している。この上端部４は、従来例と同様に前記第１の二辺４ａ，４ａの上端接着部位（図示省略）を第２の二辺４ｂ，４ｂに接着して、第２の二辺４ｂ，４ｂの接着部位（図示省略）を相互に接着することにより液密に封止されている。そして、第２の二辺４ｂ，４ｂの一方４ｂの中央部を貫通して閉止弁（図示省略）を内含した樹脂製の注出口５を取付け、この注出口５を樹脂製のキャップ６で塞いでいる。
【００２３】
前記角筒状の本体胴部２の四つの面２ａ，２ｂ，２ｃ，２ｄにおける一つの面２ａの表面に把手７が備わっている。この把手７は、これを片手で把持して紙パック１を鉛直または略鉛直な姿勢あるいは水平または略水平な姿勢で持ち運んだり、鉛直または略鉛直な姿勢で片手で把持した紙パック１を傾けることで、該紙パック１に封入されている飲み物を注出口５から注出して容器に注入する場合などに使用する。
【００２４】
前記把手７は、紙パック１を構成している前述の厚紙からなり、図４（ａ）の斜線で示す接着ベース部７ａと、この接着ベース部７ａを取り囲む一対のコ字形指掛部７ｂ，７ｂとを備えており、プレスの打ち抜き加工によって作製される。そして、図１のように、本体胴部２の一つの面２ａの表面に図示していない接着剤を介して接着ベース部７ａの裏面を接着することで、一つの面２ａの表面に把手７が備えられる。
【００２５】
図１の実線および図４（ａ）に示すように、本体胴部２の一つの面２ａの表面に重なる倒伏姿勢に保持されている一方のコ字形指掛部７ｂは、破線７ｃを９０度谷折りすることによって、図１の二点鎖線および図４（ｂ）に示すように、前記一つの面２ａの表面から離れて立ち上がる起立姿勢に姿勢変換でき、また、図１の実線および図４（ａ）に示すように、本体胴部２の一つの面２ａの表面に重なる倒伏姿勢に保持されている他方のコ字形指掛部７ｂは、破線７ｄを９０度谷折りすることによって、図１の二点鎖線および図４（ｂ）に示すように、前記一つの面２ａの表面から離れて立ち上がる起立姿勢に姿勢変換できる。
【００２６】
前記構成の紙パック１によれば、店頭での陳列や冷蔵倉内での収納は、把手７の一対のコ字形指掛部７ｂ，７ｂを図１の実線および図４（ａ）のように倒伏姿勢に保持した状態でなされる。これにより、本体胴部２の一つの面２ａの表面から一対のコ字形指掛部７ｂ，７ｂが大きく突出するのを抑えて嵩張りを無くすことができるので、店頭での陳列に必要なスペースと冷蔵倉内収納時に必要なスペースの拡大を回避できる。したがって、陳列スペースおよび収納スペースの有効利用率を高めることができる。
【００２７】
一方、鉛直または略鉛直な姿勢で店頭に陳列されていたり冷蔵倉内に収納されている紙パック１は、まず、把手７における一対のコ字形指掛部７ｂ，７ｂを立ち上げて、図１の二点鎖線および図４（ｂ）のように起立姿勢に姿勢変換し、つぎに、起立姿勢に姿勢変換された一対のコ字形指掛部７ｂ，７ｂに片手の指先をフック状に折り曲げて掛け止めて、一旦、鉛直または略鉛直な姿勢で持ち上げて陳列棚や冷蔵倉から取出し、この鉛直または略鉛直な姿勢のままで持ち運んだり、水平または略水平に姿勢変換して持ち運ぶことができる。
【００２８】
他方、前記冷蔵倉から鉛直または略鉛直な姿勢で取出した紙パック１を、一旦、テーブルに載置して、樹脂製のキャップ６を取り外して注出口５を開放したのちに、再度片手の指先をフック状に折り曲げて掛け止めて紙パック１を鉛直または略鉛直な姿勢で持ち上げ、続いて紙パック１を水平姿勢方向に徐々に傾けることで、紙パック１に封入されている飲み物を注出口５から注出して容器に注入することができる。なお、第１回目の飲み物の注出に際してのみ、樹脂製のキャップ６の取り外し直後に、注出口５に内含されている閉止弁（図示省略）の除去開弁が必要である。
【００２９】
このように、把手７の把持は、片手の指先をフック状に折り曲げて一対のコ字形指掛部７ｂ，７ｂに掛け止めることによってなされるので、紙パック１の持ち上げや紙パック１の傾けには強い力を必要としない。そのため、たとえ指の短い子供、握力の弱い婦女子や老齢者であっても、片手で容易に紙パック１を持ち上げて持ち運ぶことができるとともに、片手で紙パック１を容易に傾けて封入されている飲み物を注出口５から注出して容器に注入することができる。
【００３０】
つぎに、第２の考案に係る紙パック１について説明する。図５は、第２の考案に係る紙パックの一実施形態を示す斜視図、図６は、図５の矢印VI方向から見た紙パックの斜視図である。なお、前記図１〜図４で説明した第１の考案に係る紙パック１と同一部分には同一符号を付して、重複する構造の説明は省略する。
【００３１】
図５および図６において、紙パック１における本体胴部２の相互に対向する一対の面２ｂ，２ｄそれぞれの表面に指先掛合用の滑り止め突起８が備わっている。この指先掛合用の滑り止め突起８は、紙パック１を構成している前述の厚紙からなり、所定の間隔を隔てて複数条（たとえば三条）の突出高さが小さい断面山形の指先掛合部８ａと、該指先掛合部８ａの両側に連設される接着ベース部８ｂとを備えており、本体胴部２の一対の面２ｂ，２ｄそれぞれの表面に図示していない接着剤を介して接着ベース部８ｂの裏面を接着することで、相互に対向する一対の面２ｂ，２ｄそれぞれの表面に指先掛合用の滑り止め突起８が備わる。
【００３２】
前記構成の紙パック１によれば、断面山形の指先掛合部８ａの突出高さが小さいことにより、本体胴部２の相互に対向する一対の面２ｂ，２ｄそれぞれの表面から断面山形の指先掛合部８ａが大きく突出するのを抑えて嵩張りを無くすことができるので、店頭での陳列に必要なスペースと冷蔵倉内収納時に必要なスペースの拡大を回避できる。したがって、陳列スペースおよび収納スペースの有効利用率を高めることができる。
【００３３】
一方、鉛直または略鉛直な姿勢で店頭に陳列されていたり冷蔵倉内に収納されている紙パック１は、片手の指先の先端部を各指先掛合用の滑り止め突起８における断面山形の指先掛合部８ａのいずれかに掛合した状態で本体胴部２を掴持して、一旦、鉛直または略鉛直な姿勢で持ち上げて陳列棚や冷蔵倉から取出し、この鉛直または略鉛直な姿勢のままで本体胴部２を掴持して持ち運んだり、水平または略水平に姿勢変換して本体胴部２を掴持して持ち運ぶことができる。
【００３４】
他方、前記冷蔵倉から鉛直または略鉛直な姿勢で本体胴部２を掴持して取出した紙パック１を、一旦、テーブルに載置して、樹脂製のキャップ６を取り外して注出口５を開放したのちに、再度片手の指先の先端部を各指先掛合用の滑り止め突起８における断面山形の指先掛合部８ａのいずれかに掛合して、本体胴部２を掴持して紙パック１を鉛直または略鉛直な姿勢で持ち上げ、続いて紙パック１を水平姿勢方向に徐々に傾けることで、紙パック１に封入されている飲み物を注出口５から注出して容器に注入することができる。なお、第１回目の飲み物の注出に際してのみ、樹脂製のキャップ６の取り外し直後に、注出口５に内含されている閉止弁（図示省略）の除去開弁が必要である。
【００３５】
このように、片手の指先の先端部が各指先掛合用の滑り止め突起８における断面山形の指先掛合部８ａのいずれかに掛合されることで、指先の先端部と掛合される断面山形の指先掛合部８ａとの間に大きい摩擦抵抗が発生するので、紙パック１の持ち上げや紙パック１の傾けには強い力を必要としない。そのため、たとえ指の短い子供、握力の弱い婦女子や老齢者であっても、片手で容易に紙パック１を持ち上げて持ち運ぶことができるとともに、片手で紙パック１を容易に傾けて封入されている飲み物を容器に注入することができる。
【００３６】
つぎに、第３の考案に係る紙パック１について説明する。図７は、第３の考案に係る紙パックの一実施形態を示す斜視図、図８は、図７の矢印VIII方向から見た紙パックの斜視図である。なお、前記図１〜図６で説明した第１および第２の考案に係る紙パック１と同一部分には同一符号を付して、重複する構造の説明は省略する。
【００３７】
図７および図８において、紙パック１は、角筒状の本体胴部２の四つの面２ａ，２ｂ，２ｃ，２ｄにおける一つの面２ａの表面に把手７を備えているともに、該一つの面２ａを除いた相互に対向する一対の面２ｂ，２ｄそれぞれの表面に、図５，図６と同じ構成の指先掛合用の滑り止め突起８を備えている。
【００３８】
前記構成の紙パック１によれば、把手７を選択してこれを前記第１の考案と同様に片手で把持して持ち上げることで持ち運ぶことができるとともに、把手７を選択してこれを前記第１の考案と同様に片手で把持して紙パック１を傾けることで、封入されている飲み物を注出口５から注出して容器に注入することができる。しかも、指先掛合用の滑り止め突起８を選択し、その断面山形の指先掛合部８ａのいずれかに前記第２の考案と同様に片手の指先の先端部を掛合した状態で本体胴部２を掴持して持ち上げることで紙パック１を持ち運ぶことができるばかりか、指先掛合用の滑り止め突起８を選択し、その断面山形の指先掛合部８ａのいずれかに前記第２の考案と同様に片手の指先の先端部を掛合した状態で本体胴部２を掴持して傾けることで、封入されている飲み物を注出口５から注出して容器に注入することができる。
【００３９】
このように、把手７の把持は、片手の指先をフック状に折り曲げて一対のコ字形指掛部７ｂ，７ｂに掛け止めることによってなされるので、紙パック１の持ち上げや紙パック１の傾けには強い力を必要としない。そのため、たとえ指の短い子供、握力の弱い婦女子や老齢者であっても、片手で容易に紙パック１を持ち上げて持ち運ぶことができるとともに、片手で紙パック１を容易に傾けて封入されている飲み物を注出口５から注出して容器に注入することができる。
【００４０】
また、片手の指先の先端部が各指先掛合用の滑り止め突起８の断面山形の指先掛合部８ａのいずれかに掛合されることで、指先の先端部と断面山形の指先掛合部８ａとの間に大きい摩擦抵抗が発生するので、紙パック１の持ち上げや紙パック１の傾けには強い力を必要としない。そのため、たとえ指の短い子供、握力の弱い婦女子や老齢者であっても、片手で容易に紙パック１を持ち上げて持ち運ぶことができるとともに、片手で紙パック１を容易に傾けて封入されている飲み物を容器に注入することができる。
【００４１】
前記把手７は、前記第１および第３の考案で説明したもののみに限定されるものではなく、たとえば図９（ａ），図９（ｂ）に示す把手７あるいは図１０（ａ），図１０（ｂ）に示す把手７であってもよい。なお、図９（ａ），図９（ｂ）、図１０（ａ），図１０（ｂ）において、前記第１および第３の考案と同一部分には同一符号を付して重複する構造と作用の説明は省略する。
【００４２】
前記指先掛合用の滑り止め突起８は、前記第２および第３の考案で説明したもののみに限定されるものではなく、たとえば図１１、図１２、図１３に示す平坦な断面形状のものであってもよい。また、図１２や図１３のように紙パック１における本体胴部２の相互に対向する一対の面２ｂ，２ｄのそれぞれの表面の広範囲に指先掛合用の滑り止め突起８を備えれば、紙パック１の剛性が高まることとなる。前記第２および第３の考案の滑り止め突起８は、三条の断面山形の指先掛合部８ａを備えているが、一条の断面山形の指先掛合部と、該一条の断面山形の指先掛合部の両側に接着ベース部を備えた構成の滑り止め突起であってもよい。
【００４３】
また、前記第１および第３の考案では、本体胴部２の一つの面２ａの表面に把手７を備えた構成で説明しているが、一つの面２ａおよび該一つの面２ａと相互に対向する一つの面２ｃとの二つの面２ａ，２ｃそれぞれの表面に把手７を備えた構成であってもよい。
【００４４】
さらに、前記第３の考案では、把手７と指先掛合用の滑り止め突起８とを個別に作製して本体胴部２の表面に接着した構成で説明しているが、把手７と指先掛合用の滑り止め突起８とを一体に作製して本体胴部２の表面に接着した構成であってもよい。
【００４５】
なお、前記第１〜第３の考案では、紙パック１の上端部４の第２の二辺４ｂ，４ｂの一方４ｂの中央部を貫通して閉止弁（図示省略）を内含した樹脂製の注出口５を取付け、この注出口５を樹脂製のキャップ６で塞いだ構成で説明しているが、閉止弁を内含した樹脂製の注出口５および樹脂製のキャップ６の使用を省略し、図１４に示す従来の紙パック５０の注出口５４と同様の注出口（図示省略）を形成するようにしてもよい。
【符号の説明】
【００４６】
１  紙パック
２  本体胴部
３  底部
４  上端部
５  注出口
７  把手
７ｂ  指掛部
８  指先掛合用の滑り止め突起
【図１】
0003154896.tif 000003
【図２】
0003154896.tif 000004
【図３】
0003154896.tif 000005
【図４】
0003154896.tif 000006
【図５】
0003154896.tif 000007
【図６】
0003154896.tif 000008
【図７】
0003154896.tif 000009
【図８】
0003154896.tif 000010
【図９】
0003154896.tif 000011
【図１０】
0003154896.tif 000012
【図１１】
0003154896.tif 000013
【図１２】
0003154896.tif 000014
【図１３】
0003154896.tif 000015
【図１４】
0003154896.tif 000016
【図１５】
0003154896.tif 000017
【図１６】
0003154896.tif 000018